(57)【要約】【課題】  適切なタイミングで抑圧係数の演算を間欠的に行うことを可能とし、これにより抑圧係数の演算量削減を図る。【解決手段】  無線局の送信信号中に含まれるパイロット信号を受信信号から検出するパイロット信号検出回路２１と、該パイロット信号の検出タイミングに同期して抑圧係数演算部７への入力をオン／オフするラッチ回路２２ａ、２２ｂとを備える。【選択図】    図１
2006197459.tif 000002
【特許請求の範囲】
【請求項１】
無線局間の無線信号を受信する受信アンテナと、
前記無線局間の無線信号を中継して送信するための送信アンテナと、
前記送信アンテナから前記受信アンテナに回り込む干渉信号を前記受信信号から抑圧して前記送信信号を生成する送信信号生成手段と、
前記干渉信号を抑圧するための抑圧係数を前記受信信号および前記送信信号に基づいて演算する抑圧係数演算手段と、
前記無線局の送信信号中に含まれる既知信号を前記受信信号から検出する検出手段と、
前記既知信号の検出タイミングに同期して前記抑圧係数演算の実行を制御する制御手段と、
を備えたことを特徴とするリピータ装置。
【請求項２】
前記制御手段は、前記抑圧係数演算手段への入力をオン／オフする手段を有することを特徴とする請求項１に記載のリピータ装置。
【発明の詳細な説明】
【技術分野】
【０００１】
本発明は、移動通信等の無線通信の中継に用いられるリピータ装置に関する。
【背景技術】
【０００２】
従来、無線基地局から発信された電波の届きにくいビル内や地下街などの不感地帯でリピータ装置が用いられている。リピータ装置は、例えばビルの屋上などのように、基地局からの電波の届くところに基地局向けアンテナを設置し、基地局と移動局との間を中継するものである。この中継時にリピータ装置は受信電波と同一周波数の電波を送信する。このため、送信電波が受信アンテナに回り込んで干渉信号となるので、この回り込み干渉信号を抑圧する機能がリピータ装置に必要となる。従来のリピータ装置としては、例えば特許文献１に開示されている。従来のリピータ装置は、回り込み干渉信号を抑圧する抑圧信号を生成して受信信号に加算することにより、回り込み干渉信号を抑圧した送信信号を生成している。その抑圧信号の生成に用いる抑圧係数は、受信信号と送信信号間の相関演算結果から生成される。
【特許文献１】特開２００４−４０６６５号公報
【発明の開示】
【発明が解決しようとする課題】
【０００３】
しかし、上述した従来のリピータ装置では、定常的に抑圧係数の演算を行って頻繁に抑圧係数を更新しているためにその演算量が多くなり、消費電力が大きい。これはコストダウンの阻害要因と成りうるために、その改善が要望されている。
【０００４】
このような理由から、抑圧係数の演算を間欠的に行い、抑圧係数の更新頻度を減らすことによって演算量の削減を試みることが考えられるが、適切なタイミングで抑圧係数の演算を実行することが課題となる。例えば「ＣＤＭＡ２０００  １ＸＥＶ−ＤＯ」と呼ばれる移動通信方式では、図３に示されるような信号フォーマットが使用されており、基地局から移動局に送信するデータがあるときは、図３（ａ）に示されるように、基地局はパイロット信号間に通信データを送信する。一方、基地局から移動局に送信するデータがないときには、図３（ｂ）に示されるように、基地局はパイロット信号のみを送信する。したがって、基地局から移動局に送信するデータがないときには、基地局からの受信信号が無い期間が存在する。ここで、間欠的に抑圧係数の演算を行う場合、基地局からの受信信号が無い期間が存在することを考慮しなければ、結局、無用の演算を行うことになる。さらには、有効な抑圧係数を得ることができず、干渉信号の抑圧が不十分となる恐れもある。
【０００５】
本発明は、このような事情を考慮してなされたもので、その目的は、適切なタイミングで抑圧係数の演算を間欠的に行うことができ、これにより抑圧係数の演算量削減を図ることが可能なリピータ装置を提供することにある。
【課題を解決するための手段】
【０００６】
上記の課題を解決するために、本発明に係るリピータ装置は、無線局間の無線信号を受信する受信アンテナと、前記無線局間の無線信号を中継して送信するための送信アンテナと、前記送信アンテナから前記受信アンテナに回り込む干渉信号を前記受信信号から抑圧して前記送信信号を生成する送信信号生成手段と、前記干渉信号を抑圧するための抑圧係数を前記受信信号および前記送信信号に基づいて演算する抑圧係数演算手段と、前記無線局の送信信号中に含まれる既知信号を前記受信信号から検出する検出手段と、前記既知信号の検出タイミングに同期して前記抑圧係数演算の実行を制御する制御手段とを備えたことを特徴とする。
【０００７】
本発明に係るリピータ装置においては、前記制御手段は、前記抑圧係数演算手段への入力をオン／オフする手段を有することを特徴とする。
【発明の効果】
【０００８】
本発明によれば、無線局から送信される既知信号を受信信号から検出し、この検出タイミングに同期して抑圧係数演算の実行を制御するので、既知信号受信時にのみ抑圧係数演算を実行することが可能となり、常に既知信号を用いて有効な抑圧係数を得ることができる。これにより、適切なタイミングで抑圧係数の演算を間欠的に行うことができ、抑圧係数の演算量削減を図ることが可能となる。
【発明を実施するための最良の形態】
【０００９】
以下、図面を参照し、本発明の一実施形態について説明する。
図１は、本発明の一実施形態に係るリピータ装置の構成を示すブロック図である。図１に示されるように、リピータ装置において、送信アンテナ５から送信した送信信号は受信アンテナ１に回りこんで干渉信号となる。図１のリピータ装置は、この回り込み干渉信号を抑圧する機能を有している。なお、本実施形態では、「ＣＤＭＡ２０００  １ＸＥＶ−ＤＯ」方式の移動通信システムに適用されるリピータ装置の一例を説明する。「ＣＤＭＡ２０００  １ＸＥＶ−ＤＯ」方式では、上記したように図３の信号フォーマットを用いている。
【００１０】
図１において、受信アンテナ１で受信された受信信号は、回り込み干渉信号を抑圧する抑圧信号（乗算器８の出力信号）と加算器２により加算された後、遅延回路３により遅延される。遅延回路３から出力された送信信号は、増幅器４を介して送信アンテナ５から放射される。その抑圧信号は、遅延回路３から出力された送信信号を遅延回路６により遅延させた信号Ｂに、抑圧係数演算部７で生成された抑圧係数を乗算して得られる。
【００１１】
抑圧係数演算部７は、相関演算回路９と係数乗算回路１０と積分回路１１とを有する。
相関演算回路９には、加算器２の出力信号Ａがラッチ回路２２ａを介して入力される。また、遅延回路６の出力信号Ｂがラッチ回路２２ｂを介して入力される。相関演算回路９は、それら２つの入力信号間の相関演算を行う。係数乗算回路１０は、その相関演算結果である相関演算回路９の出力信号に係数（０以上１未満の値）を乗算する。積分回路１１は、その乗算結果である係数乗算回路１０の出力信号を積分演算する。この積分演算結果は抑圧係数として乗算器８に出力される。
【００１２】
乗算器８は、信号Ｂに抑圧係数を乗算して抑圧信号を加算器２に出力する。
【００１３】
パイロット信号検出回路２１は、加算器２の出力信号Ａからパイロット信号を検出する。パイロット信号は既知の信号である。そして、そのパイロット信号の検出タイミングからラッチ回路２２ａ、２２ｂのゲート信号を作成する。図２は、ラッチ回路２２ａ、２２ｂのゲート信号の作成動作に係るタイムチャートである。
【００１４】
図２において、パイロット信号検出回路２１は、信号Ａからパイロット信号を検出し、その検出時のタイミング信号を得る（図２（ｃ））。この動作は、基地局から移動局に送信するデータがある場合（図２（ａ））も、基地局から移動局に送信するデータがない場合（図２（ｂ））も、ともに同じである。次いで、そのタイミング信号に同期してゲート信号をハイ（Ｈ）レベル（ＯＮ）にし、ラッチ回路２２ａ、２２ｂのゲートを開く。ゲート信号のＨレベルの期間は、パイロット信号の継続期間とする。例えば、所定期間経過後にゲート信号をロー（Ｌ）レベル（ＯＦＦ）に戻す。或いは、パイロット信号の終了を検出してゲート信号をＬレベル（ＯＦＦ）に戻してもよい。ゲート信号がＬレベルになると、ラッチ回路２２ａ、２２ｂのゲートは閉じる。
【００１５】
この動作により、ラッチ回路２２ａ、２２ｂのゲートはパイロット信号の受信期間中に開き、パイロット信号を有する信号Ａ、Ｂが相関演算回路９に入力される。そして、相関演算回路９は、それら２つの入力信号間の相関演算を実行する。一方、パイロット信号の受信期間中以外の期間は、ラッチ回路２２ａ、２２ｂのゲートが閉じ、相関演算回路９の入力はなくなるので、相関演算回路９は相関演算を停止する。従って、相関演算回路９は、パイロット信号を有する信号Ａ、Ｂが入力されている期間に限って間欠的に相関演算を実行することになる。
【００１６】
これにより、図１の抑圧係数演算部７は、基地局から常時送信されているパイロット信号に基づいて間欠的に相関演算を実行し、抑圧係数の更新を行うことができる。この結果として得られた抑圧係数は基地局から移動局への通信状況にかかわらず常に有効なものとなり、該抑圧係数によって抑圧信号のレベルと位相を安定して制御することが可能となる。これにより、回り込み干渉信号は安定して抑圧される。
【００１７】
なお、上述した実施形態では、ラッチ回路２２ａ、２２ｂによって相関演算回路９への入力をオン／オフすることにより、相関演算の実行を制御しているが、図２（ｄ）のゲート信号を実行制御信号として相関演算回路９に入力して相関演算の実行を制御してもよい。この場合にはラッチ回路２２ａ、２２ｂは設けなくてもよい。
【００１８】
また、パイロット信号検出回路２１への入力として加算器２の出力信号を用いたが、加算器２の入力信号（受信アンテナ１で受信された受信信号）を用いてもよい。但し、加算器２の出力信号の方が干渉信号抑圧後の信号であるので、検出が容易となり好ましい。
【００１９】
なお、上記した相関演算の実行を制御することは、抑圧係数演算部７の抑圧係数演算の実行を制御することと実質的に同じである。
【００２０】
上述したように本実施形態によれば、基地局から送信される既知のパイロット信号を受信信号から検出し、この検出タイミングに同期して抑圧係数演算の実行を制御する。これにより、パイロット信号受信時にのみ抑圧係数演算を実行することが可能となるので、常にパイロット信号を用いて有効な抑圧係数を得ることができる。このように本実施形態によれば、適切なタイミングで抑圧係数の演算を間欠的に行うことができ、抑圧係数の演算量削減を図ることが可能となる。
【００２１】
以上、本発明の実施形態を図面を参照して詳述してきたが、具体的な構成はこの実施形態に限られるものではなく、本発明の要旨を逸脱しない範囲の設計変更等も含まれる。
例えば、本発明は、無線局の送信信号中に既知信号が含まれる無線通信方式であれば各種の無線通信システムに適用することができる。つまり、無線中継相手である無線局の送信信号中に既知信号が含まれていればよく、本発明は該既知信号を検出して抑圧係数演算の実行を制御する。
【図面の簡単な説明】
【００２２】
【図１】本発明の一実施形態に係るリピータ装置の構成を示すブロック図である。
【図２】図１に示すラッチ回路２２ａ、２２ｂのゲート信号の作成動作に係るタイムチャートである。
【図３】本発明の一実施形態に係るリピータ装置を適用する移動通信方式の信号フォーマットを説明するための説明図である。
【符号の説明】
【００２３】
１…受信アンテナ、２…加算器、３，６…遅延回路、４…増幅器、５…送信アンテナ、７…抑圧係数演算部、８…乗算器、９…相関演算回路、１０…係数乗算回路、１１…積分回路、２１…パイロット信号検出回路、２２ａ，２２ｂ…ラッチ回路。
【図１】
2006197459.tif 000003
【図２】
2006197459.tif 000004
【図３】
2006197459.tif 000005